(57)【要約】【課題】  故人の思い出や人柄を会葬出席者によく知ってもらえるようにする。【解決手段】  印刷シート１と、該印刷シート１が貼着された掲示パネル２と、該掲示パネル２に取り付けられたフレーム５と、該フレーム５を支持するスタンド２０とを備えた会葬用ディスプレイにおいて、挨拶文やお悔やみ文などの文例データ、故人の役職や趣味などを想定して作られた想定文データ、背景や飾り枠などのデザインデータ、レイアウトパターンデータを有する創作保存データと、故人の写真などの画像データと、故人の遺族に対して行った取材内容とに基づいて作成された創作原稿を、印刷シート１に印刷して会葬式場の入口などに展示する。【選択図】    図１
0003106022.tif 000002
【実用新案登録請求の範囲】
【請求項１】
印刷シートと、該印刷シートが貼着された掲示パネルと、該掲示パネルに取り付けられたフレームと、該フレームを支持するスタンドとを備えた会葬用ディスプレイにおいて、
前記印刷シートには、挨拶文やお悔やみ文などの文例データ、故人の役職や趣味などを想定して作られた想定文データ、背景や飾り枠などのデザインデータ、レイアウトパターンデータを有する創作保存データと、故人の写真などの画像データと、故人の遺族に対して行った取材内容とに基づいて作成された創作原稿が印刷されてなることを特徴とする会葬用ディスプレイ。
【請求項２】
２又は３枚の印刷シートと、該各印刷シートが個別に貼着された掲示パネルと、該各掲示パネルに取り付けられたフレームと、該各フレームを支持するスタンドとを備えた会葬用ディスプレイにおいて、
１枚の印刷シートには、挨拶文やお悔やみ文などの文例データ、及び、故人の役職や趣味などを想定して作られた想定文データを主とする創作保存データと、故人の遺族に対して行った取材内容とに基づいて作成された創作原稿が印刷され、さらに、他の印刷シートには、故人の写真などの画像データを主として作成された創作原稿が印刷されてなることを特徴とする会葬用ディスプレイ。
【考案の詳細な説明】
【技術分野】
【０００１】
本考案は、挨拶文や故人の写真などが印刷された印刷シートを掲示パネルに貼着すると共に、該掲示パネルにフレームを取り付け、さらに、該フレームをスタンドによって支持して会葬式場の入口などに展示する会葬用ディスプレイに関する。
【背景技術】
【０００２】
従来、展示用パネルとして、絵画、プリント写真、印刷物、書物などの展示対象物を、金属板、合成樹脂板、耐水加工された硬質木板からなる板体の表面に貼着して展示パネルを形成し、該展示パネルの表面から裏面にかけて透明フィルムで覆ってラミネートさせているものが公知になっている。（例えば、特許文献１参照）。
【０００３】
【特許文献１】登録実用新案第３０５９３１５号公報（第１―５頁、図１乃至図５）
【考案の開示】
【考案が解決しようとする課題】
【０００４】
しかしながら、従来の展示用パネルの場合、絵画、プリント写真、印刷物、書物などの展示対象物を板体の表面に貼着して展示パネルを形成しているが、会葬に適した展示用パネルの構成は何ら開示されていない。
【０００５】
そこで、本考案は上記問題点に鑑み、故人の人柄や思い出を多くの会葬出席者に知ってもらえる会葬用ディスプレイを提供することを目的とする。
【課題を解決するための手段】
【０００６】
上記課題を解決するために、本考案の会葬用ディスプレイは、請求項１に示す如く、印刷シートと、該印刷シートが貼着された掲示パネルと、該掲示パネルに取り付けられたフレームと、該フレームを支持するスタンドとを備えた会葬用ディスプレイにおいて、前記印刷シートには、挨拶文やお悔やみ文などの文例データ、故人の役職や趣味などを想定して作られた想定文データ、背景や飾り枠などのデザインデータ、レイアウトパターンデータを有する創作保存データと、故人の写真などの画像データと、故人の遺族に対して行った取材内容とに基づいて作成された創作原稿が印刷されてなるものである。
【０００７】
したがって、故人の人柄や思い出を多くの会葬出席者に知ってもらえる。さらに、文例データ、想定文データ、デザインデータ、レイアウトパターンは、創作保存データとしてパーソナルコンピュータ（以下パソコンという）に予め保存されているため、故人や遺族が所望する掲示パネルを迅速に且つ容易に作製できる。
【０００８】
また、本考案の会葬用ディスプレイは、請求項２に示す如く、挨拶文やお悔やみ文などの文例データ、及び、故人の役職や趣味などを想定して作られた想定文データを主とする創作保存データと、故人の遺族に対して行った取材内容とに基づいて作成された創作原稿が印刷された１枚の印刷シートと、故人の写真などの画像データを主として作成された創作原稿が印刷された１又は２枚の印刷シートとを、複数の掲示パネルに個別に貼着して展示するようにしたものである。
【０００９】
故人が、例えば、著名人である場合、親類縁者の多い人の場合、又は故人との思い出を多く残したい場合に適している。即ち、故人の功績や故人に対する遺族の強い思いが会葬出席者に伝わることになる。なお、画像データが印刷された印刷シートの枚数としては、２枚が好ましい。
【考案の効果】
【００１０】
以上説明したように、本考案の会葬用ディスプレイによれば、挨拶文やお悔やみ文などの文例データ、故人の役職や趣味などを想定して作られた想定文データ、背景や飾り枠などのデザインデータ、レイアウトパターンデータを有する創作保存データと、故人の写真などの画像データと、故人の遺族に対して行った取材内容とに基づいて作成した創作原稿を展示したり、文例データ及び想定文データを主とする創作保存データと、故人の遺族に対して行った取材内容とに基づいて作成した一つの創作原稿と、故人の写真などの画像データを主として作成した他の創作原稿とを並設して展示したりするようにしたので、故人にふさわしく、遺族が望む会葬用ディスプレイが容易に得られる効果がある。
【考案を実施するための最良の形態】
【００１１】
本考案を実施するための最良の実施形態につき、図１〜図５を参照して説明する。
まず、本考案の会葬用ディスプレイは、図１及び図２に示すように、挨拶文やお悔やみ文などの文例データ、故人の役職や趣味などを想定して作られた想定文データ、背景や飾り枠などのデザインデータ、レイアウトパターンデータを有する創作保存データと、故人の写真などの画像データと、故人の遺族に対して行った取材内容とに基づいて作成された創作原稿が印刷された印刷シート１と、該印刷シート１が貼着された掲示パネル２と、該掲示パネル２の周縁部に取り付けられたフレーム５と、該フレーム５を所定の高さの位置（人の目線高さの位置）で支持するスタンド２０とから構成されている。
【００１２】
挨拶文やお悔やみ文などの文例データ、故人の役職や趣味などを想定して作られた想定文データ、背景や飾り枠などのデザインデータ、レイアウトパターンデータの各創作保存データは、自社で創作し、既存のパソコンに保存されている。
【００１３】
想定文データとしては、故人の役職や趣味の他、故人の人柄、故人との楽しい思い出、故人に対する家族の心残りなどを想定して創作されたものが複数パターン保存されている。
【００１４】
デザインデータとしては、季節に代表される花（桜、コスモスなど）、故人の居所の風景（例えば、富士山、桜島など）などが保存されている。
【００１５】
画像データとしては、故人の写真の他、故人の遺品の写真などがスキャナによって読み込まれてディジタルデータとしてパソコンに取り込まれる。
【００１６】
印刷シート１としては、例えば、王子製紙社製の厚手マットコート紙  ＩＪＣマット１９０（商品名）を使用する。インクとしては、通常は染料系（水性）インクが使用されている。但し、経年劣化を考慮する場合には、顔料系（油性）インクのものを使用して、印刷シート１を覆うようにラミネート加工を施したり、紫外線防止加工を施したりする。印刷方式としてはインクジェットで、印刷機としては、例えば、日本ヒューレットパッカード社製のＨＰｄｅｓｉｇｎｊｅｔ５５００ｐｓ（商品名）を使用するのが好ましい。
【００１７】
掲示パネル２としては、例えば、セキスイ化成社製のＮＫタック（商品名）を使用するのが望ましい。この掲示パネル２は、厚さ寸法が５ｍｍ、横寸法が１８００ｍｍ、縦寸法が９００ｍｍの発泡材からなり、掲示パネル２の片面には、糊剤が塗布された接着層と、該接着層に貼着された剥離紙とを有している（図示せず）。
【００１８】
フレーム５としては、例えば、株式会社ベルク製の８２１Ｓ（商品名）を使用するのが好ましい。フレーム５は、正面視矩形状に骨組みされた左右の側枠６，６、上枠７、下枠８と、該両側枠６，６の内側に形成された段部６ａ，６ａと、軸９ａによって、両側枠６，６の上部及び下部に回動可能に支持されたクリップ９，９と、上枠７及び下枠８の裏面の両側にそれぞれ溶着された断面逆Ｌ字形状のフック１０，…とを備えている。なお、図示していないが、クリップ９，９は、開状態及び閉状態が保持されるような構成になっている。
【００１９】
スタンド２０は、掲示パネル２が装着されたフレーム５を安定支持する二本のコ字形状のキャスタ付き脚体２１，２１と、該両キャスタ付き脚体２１，２１の中央部に立設された支柱２２，２２と、該両支柱２２，２２の上部及び下部に取り付けられた係止部２３，…と、両キャスタ付き脚体２１，２１の略中央部、及び、両支柱の上部にそれぞれ架設された補強用連結板２４，２４とを具備している。
【００２０】
つぎに会葬用ディスプレイの製作手順につき図３を参照して説明する。まず、故人の遺族に直接取材を行う（Ｓ１）。つぎに、上述した文例データ、想定文データ、デザインデータ、レイアウトパターンデータを有する創作保存データをパソコンから読み出して（Ｓ２）、パソコンの表示画面において、取材内容と創作保存データとに基づいて創作原稿の主要部分を構成する（Ｓ３）。その後、故人の写真などの画像データをスキャナで取り込み（Ｓ４）、レイアウトパターンデータによって指定される位置に画像データを配置し、創作原稿を仕上げる。そして、仕上がった創作原稿を校正（Ｓ５）して印刷シート１に印刷する（Ｓ６）。
【００２１】
つぎに会葬用ディスプレイの使用態様及び組立て順序につき図４を参照して説明する。例えば、会葬式場の入口にスタンド２０を設置した後、フレーム５のフック１０，…をスタンド２０の係止部２３，…に係止させて、フレーム５をスタンド２０に固定する。続いて、フレーム５の上部及び下部のクリップ９，９をそれぞれ開いた状態にする。つぎに、掲示パネル２の周縁部をフレーム５の段部６ａ，６ａに当接し、フレーム５のクリップ９，９を閉じると共に、掲示パネル２の上部及び下部をクリップ９，９によって挟持して、掲示パネル２をフレーム５に固定する。
【００２２】
また、他の実施形態としては、図５に示すように、故人の幼少の頃の写真を主とする掲示パネル２Ａ、挨拶文や故人への贈る言葉などの文章を主とする掲示パネル２Ｂ、故人の晩年の写真を主とする掲示パネル２Ｃを順に並設してもよい。そうすれば、故人の人柄や思い出をより多くの人に知ってもらえる。
【００２３】
なお、前記各実施形態の場合、横寸法が１８００ｍｍ、縦寸法が９００ｍｍの掲示パネル２を使用したが、アルバムや写真立ての大きさの掲示パネル２を使用し、各データが縮小されて印刷された印刷シート１を貼着した掲示パネル２を遺族に手渡すようにしてもよい。
【００２４】
また、前記各実施形態の場合、会葬用ディスプレイの展示場所として、会葬式場の入口を例にとって説明したが、人通りが多くて人目の付きやすい場所であればどこでもよい。
【００２５】
さらに、前記各実施形態において、印刷シート１、掲示パネル２、フレーム５、スタンド２０の形状を図１〜図５を参照しながら説明したが、これらの構成部材の形状及び材質は限定されるものではない。即ち、印刷シート１においては、例えば、円形状、正方形状、楕円形状、多角形状であってもよい。掲示パネル２においては、例えば、木板、金属板、合成樹脂板であってもよい。フレーム５においては、掲示パネル２を装飾できて、且つ、スタンド２０に吊設できる構造であればよい。スタンド２０においては、掲示パネル２の装着されたフレーム５を安定支持できるものであればよい。インクにおいては、印刷シート１の材質によって適宜変更可能である。
【００２６】
加えて、前記各実施形態の場合、一枚の掲示パネル２を一つのフレーム５に装着したが、二枚の掲示パネル２を一つのフレーム５に装着するようにしてもよい。
【産業上の利用可能性】
【００２７】
本考案の会葬用ディスプレイは、記念式典やパーティの展示用パネル、結婚式のメモリアルパネルとしても利用できる。
【図面の簡単な説明】
【００２８】
【図１】本考案の会葬用ディスプレイの一実施形態を示した斜視図である。
【図２】掲示パネルの取付部位の縦断面図である。
【図３】本考案の会葬用ディスプレイの製作手順を示したフローである。
【図４】会葬用ディスプレイの分解斜視図である。
【図５】会葬用ディスプレイの他の実施形態を示した概略構成図である。
【符号の説明】
【００２９】
１  印刷シート
２、２Ａ〜２Ｃ  掲示パネル
５  フレーム
６  側枠
６ａ  段部
７  上枠
８  下枠
９  クリップ
９ａ  軸
１０  フック
２０  スタンド
２１  キャスタ付き脚体
２２  支柱
２３  係止部
２４  補強用連結板
【図１】
0003106022.tif 000003
【図２】
0003106022.tif 000004
【図３】
0003106022.tif 000005
【図４】
0003106022.tif 000006
【図５】
0003106022.tif 000007